(57)【要約】【課題】手術直後のドレーン等の管が身体に挿管されている患者に対しても容易に着用可能であり、患者が快適に着用できる医療用着衣を提供する。【解決手段】前開き型の前身頃101と後身頃102と肩部103から続く左右の袖部104,105を備え、前身頃101の襟部108Ｌ,108Ｒから前肩付近を通り左右の袖口109Ｌ,109Rに達する分離可能な襟袖合わせ部110,111を設け、襟袖合わせ部に分離・接合用の一対のスライダーを備えた第１ダブルファスナー部113,114を取り付ける。左右の脇117から裾口118に達する分離可能な脇合わせ部119,120を設け、脇合わせ部に分離・接合用の一対のスライダーを備えた第２ダブルファスナー部121,122を取り付ける。【選択図】図１
2015052185.tif 000002
【特許請求の範囲】
【請求項１】
前開き型の前身頃と後身頃と肩部から続く左右の袖部を備えており、前身頃の襟部から左右の袖口に達する分離可能な襟袖合わせ部が設けられ、当該襟袖合わせ部に分離・接合用の一対のスライダーを備えたダブルファスナー部が取り付けられていることを特徴とする医療用着衣。
【請求項２】
前記襟袖合わせ部の裏面に、着用後の身体表面への、ダブルファスナー部の接触を避ける保護片が取り付けられていることを特徴とする、請求項１記載の医療用着衣。
【請求項３】
前記襟袖合わせ部が前肩部付近を通ることを特徴とする、請求項１または請求項２に記載の医療用着衣。
【請求項４】
前身頃と後身頃の間の、左右の脇の少なくとも一方から裾口に達する分離可能な脇合わせ部が設けられ、当該脇合わせ部に分離・接合用の一対のスライダーを備えたダブルファスナー部が取り付けられていることを特徴とする、請求項１ないし請求項３のいずれか一項に記載の医療用着衣。
【請求項５】
前記脇合わせ部の裏面に、着用後の身体表面への、ダブルファスナー部の接触を避ける保護片が取り付けられていることを特徴とする、請求項４記載の医療用着衣。
【発明の詳細な説明】
【技術分野】
【０００１】
本発明は、病院等において、入院患者等が着用する医療用着衣に関するものである。
【背景技術】
【０００２】
一般に、病院で人間ドッグを受診するとき、入院して手術を受けるとき、手術前に検査を受けるとき等、専用の着衣を着用する。病院用の着衣は一般に簡易な衣服で、着脱が容易なように前開き可能で着用後は単に留めるだけのものが多い。そして、手術においては、特に全身麻酔患者に対しては、着衣なしで手術が行なわれ、手術後、手術室から集中治療室（ＩＣＵ）に搬送され、医師と看護士による介護を受ける。ところが、手術直後の患者の身体にはドレーン等の管が挿管されていることから、管を挿管したままの身体に着衣を着用させるのは難しく、このため現状では集中治療室内では患者の体に上から着衣を被せただけの場合が多い。しかしながら、着衣を被せた状態に対しては患者だけでなく看護する立場からも抵抗感が少なからずあり、また、特に冬場など患者が寒さを感じる原因にもなっていた。
【０００３】
従来より、着用・脱衣を迅速に行なえるようにした医療用着衣が提案されている（特許文献１）。同提案の着衣は、左右２枚の身頃からなり、身頃の前、後及び肩合わせ領域の留め具（面ファスナ等）を手で選択的に外せるようになっている。
【先行技術文献】
【特許文献】
【０００４】
【特許文献１】実開平６−２２３１６号公報
【発明の概要】
【発明が解決しようとする課題】
【０００５】
しかしながら、従来提案の着衣は、左右２枚の身頃の各部位に多数箇所取り付けた留め具（面ファスナ等）のすべてを留める必要があるので、着用が必ずしも迅速に行なえず、ましてや手術直後のドレーン等の管が身体に挿管されている患者に対して迅速にかつ容易に行なえるとは言い難い。また、後身頃が左右に分割されているため、着用した患者が背中に位置する留め具を不快に感じる問題もある。
【０００６】
本発明は上記課題に鑑みてなされたもので、手術直後のドレーン等の管が身体に挿管されている患者に対しても容易に着用可能であり、患者が快適に着用できる医療用着衣を提供すること、また、着用後の患者に対する検査や治療のための管を通す位置を自由に調整でき、患者への治療や介護を行ない易くした医療用着衣を提供することを目的とする。
【課題を解決するための手段】
【０００７】
上記課題を解決するために、本発明に係る医療用着衣は、前開き型の前身頃と後身頃と肩部から続く左右の袖部を備えており、前身頃の襟部から左右の袖口に達する分離可能な襟袖合わせ部が設けられ、当該襟袖合わせ部に分離・接合用の一対のスライダーを備えたダブルファスナー部が取り付けられていることを主要な特徴とする。
【０００８】
本発明に係る医療用着衣は、前記襟袖合わせ部の裏面に、着用後の身体表面への、ダブルファスナー部の接触を避ける保護片が取り付けられていることを第２の特徴とする。
【０００９】
本発明に係る医療用着衣は、前記襟袖合わせ部が前肩部付近を通ることを第３の特徴とする。
【００１０】
本発明に係る医療用着衣は、前身頃と後身頃の間の、左右の脇の少なくとも一方から裾口に達する分離可能な脇合わせ部が設けられ、当該脇合わせ部に分離・接合用の一対のスライダーを備えたダブルファスナー部が取り付けられていることを第４の特徴とする。
【００１１】
本発明に係る医療用着衣は、前記脇合わせ部の裏面に、着用後の身体表面への、ダブルファスナー部の接触を避ける保護片が取り付けられていることを第５の特徴とする。
【発明の効果】
【００１２】
以上説明したように、本発明に係る医療用着衣によれば、手術後の管が挿管された状態の患者に対し、挿管位置に拘わらず、本発明に係る医療用着衣を容易にかつ素早く着用させることができ、これにより、従来の集中治療室内で患者の体に上から着衣を被せただけに対する抵抗感や肌寒さを解消でき、患者が快適な状態で介護または治療を受けられるという優れた効果を奏する。
【００１３】
また、手術後のみならず、その他においても、本発明に係る医療用着衣を着用することで、患者に対する検査や治療のための管を通す位置を自由に調整できるので、これらの検査、治療、介護を行ないやすく、また、患者にとっても安心かつ快適にこれらを受けられるという優れた効果を奏する。
【図面の簡単な説明】
【００１４】
【図１】本発明に係る医療用着衣の斜視図、
【図２】図１に示す医療用着衣の展開状態を示す斜視図、
【図３】（Ａ）（Ｂ）は第１および第２ダブルファスナー部に対する保護片の役割を示す説明図、
【図４】身体に管が挿管された患者に対し図１に示す医療用着衣を着用させた後の効用を示す説明図である。
【発明を実施するための最良の形態】
【００１５】
本発明を実施するための一実施形態を、図面を参照しながら説明する。図１において、符号１００は本発明に係る医療用着衣を示している。
【００１６】
まず、図１および展開状態の図２を参照して医療用着衣１００の構造を説明すると、医療用着衣１００は、前開き型の前身頃１０１と後身頃１０２と肩部１０３から左右に続く袖部１０４，１０５を備えた構造をしている。前身頃１０１は左右の左前身頃１０１Lと右前身頃１０１Ｒからなり、いずれか一方（図示例では左前身頃１０１Ｌ）を下にして紐１０６Ａ，１０６Ｂを互いに括り、他方（図示例では右前身頃１０１Ｒ）を上にして重ね、同様に紐１０７Ａ，１０７Ｂを互いに括り、これにより前身頃１０１を閉じるようになっている。
【００１７】
前身頃１０１の襟部から左右の袖口にかけて、すなわち左前身頃１０１Ｌの襟部１０８Ｌから前肩部付近を通り左の袖部１０４にかけて、および右前身頃１０１Ｒの襟部１０８Ｒから前肩部付近を通り右の袖部１０５にかけて、各袖口１０９Ｌ，１０９Ｒに達する分離可能な襟袖合わせ部１１０，１１１が設けられている。それら襟袖合わせ部１１０，１１１には、分離・接合用の一対のスライダー１１２Ａ，１１２Ｂを備える第１ダブルファスナー部１１３，１１４が取り付けられている。この第１ダブルファスナー部１１３，１１４は、一対のスライダー１１２Ａ，１１２Ｂを左右の袖口１０９Ｌ，１０９Ｒおよび左右の襟部１０８Ｌ，１０８Ｒに移動させることで、襟袖合わせ部１１０，１１１を分離可能とし、一対のスライダー１１２Ａ，１１２Ｂを両側の袖口１０９Ｌ，１０９Ｒおよび左右の襟部１０８Ｌ，１０８Ｒから内寄りに移動させることで襟袖合わせ部１１０，１１１を互いに接合可能とする。
【００１８】
また、第１ダブルファスナー部１１３，１１４は、襟袖合わせ部１１０，１１１の接合状態で、一対のスライダー１１２Ａ，１１２Ｂを独立して左右の任意位置に移動させることにより、一対のスライダー１１２Ａ，１１２Ｂ間に開口部１１５を形成し、また、開口部１１５の幅寸法・位置を任意に設定できるようになっている。
【００１９】
前記襟袖合わせ部１１０，１１１の裏面には、左右の襟部１０８Ｌ，１０８Ｒから左右の袖口１０９Ｌ，１０９Ｒに達する保護片１１６が縁部に取り付けられている。この保護片１１６は、図３（Ａ）に示すように、着用時に第１ダブルファスナー部１１３，１１４が患者の身体１の皮膚に直接当たるのを避け、これにより患者にとって着心地の良くなる着衣構造となっている。
【００２０】
前身頃１０１と後身頃１０２の間の左右の脇１１７には、脇１１７の脇下位置Pから裾口１１８に達する脇合わせ部１１９，１２０が設けられ、それら脇合わせ部１１９，１２０には、分離・接合用の一対のスライダー１１２Ａ，１１２Ｂを備える第２ダブルファスナー部１２１，１２２が取り付けられている。第２ダブルファスナー部１２１，１２２は、裾口側のスライダー１１２Ａを裾口１１８に移動させることで、脇合わせ部１１９，１２０を分離可能とし、裾口側のスライダー１１２Ａを脇１１７に向けて移動させることで脇合わせ部１１９，１２０を互いに接合可能とする。
【００２１】
また、第２ダブルファスナー部１２１，１２２は、脇合わせ部１１９，１２０の接合状態で、一対のスライダー１１２Ａ，１１２Ｂを独立して左右の任意位置に移動させることにより、一対のスライダー１１２Ａ，１１２Ｂ間に開口部１２３を形成し、また、開口部１２３の幅寸法・位置を任意に設定できるようになっている。
【００２２】
前記脇合わせ部１１９，１２０の裏面には、左右の脇１１７の脇下位置Pから裾口１１８に達する保護片１２４が縁部に取り付けられている。この保護片１２４は、図３（Ｂ）に示すように、着用時に第２ダブルファスナー部１２１，１２２が患者の身体１の脇に直接当たるのを避け、これにより患者Ｈにとって不快感を解消し、着心地の良くなる着衣構造となっている。
【００２３】
左右の袖部１０４，１０５における各袖口部１２５は、図１に示すように袖口１０９Ｌ，１０９Ｒに絞り１２６が設けられている。これにより袖口１０９Ｌ，１０９Ｒが器具等に引っ掛かるのを防ぐようにしている。
【００２４】
上記構造の医療用着衣１００の布地は、柔らかく肌触りの良い素材で、ストレッチ性のある素材（例えばジャージ素材）、吸湿性、吸水性のある素材（タオル地、パイル地、コットン地など）が望ましい。さらに、夏場は通気性のよい素材、冬場は保温性のよい素材を用いることが望ましい。ただし、これらの素材に限定されない。
【００２５】
次に上記構造の医療用着衣１００の使用方法について、手術後の患者を例にして説明する。
【００２６】
手術後の患者は、例えば全身麻酔の場合、手術室からストレッチャーで集中治療室（ＩＣＵ）に搬送され、医師と看護士による介護を受ける。このとき手術室から集中治療室に搬送された患者に対し、スタッフが介護ベッド上で医療用着衣１００を着用させる。まず、介護ベッド上に医療用着衣１００を展開状態に置く。
【００２７】
展開状態の医療用着衣１００は、図２に示すように、後身頃１０２の裏面を上にして、左右の襟部１０８Ｌ，１０８Ｒから袖口１０９Ｌ，１０９Ｒに延びる左右の第１ダブルファスナー部１１３，１１４の解除操作により、左右の襟袖合わせ部１１０，１１１が分離されて上下に展開され、また、左右の脇から裾口１１８に延びる第２ダブルファスナー部１２１，１２２の解除操作により、左右の脇合わせ部１１９，１２０が分離された状態で、前身頃１０１が左右に展開されている。
【００２８】
図２に示す展開状態の医療用着衣１００に対し仰向け姿勢の患者を位置決め後、患者の肩部から左右の腕部に対し、着衣１００の左右の肩部１０３から袖部１０４，１０５にかけて被せ、左右の第１ダブルファスナー部１１３，１１４を閉じ操作して、左右の袖袖合わせ部１１０，１１１を接合する。同様に、患者の左右の脇に対し、手術直後の患者への挿管位置にあわせて、着衣１００の両脇１１７の、左右の第２ダブルファスナー部１２１，１２２を閉じ操作して、左右の脇合わせ部１１９，１２０を接合し、前身頃１０１を紐１０６Ａ，１０６Ｂ等により閉じる。最後に左右の襟部１０８Ｌ，１０８Ｒのボタン１２７を留める。
【００２９】
これにより、手術後の介護ベッド上の患者に対し、仰向け姿勢のまま医療用着衣１００を素早く着用させることができる。このとき、図４に示すように、手術後の介護ベッドＢ上の患者の身体１にはドレーンなどの管２が挿管されているが、第１ダブルファスナー部１１３，１１４における一対のスライダー１１２Ａ，１１２Ｂの閉操作、第２ダブルファスナー部１２１，１２２における一対のスライダー１１２Ａ，１１２Ｂの閉操作（図４では後者のみ図示）により、挿管の位置に合わせて、襟袖合わせ部１１０，１１１に形成する開口部１１５の幅寸法・位置、脇合わせ部１１９，１２０に形成する開口部１２３の幅寸法・位置を自由に調整できる。したがって、手術後の患者の身体１にドレーンなどの管が挿管されている場合であっても、挿管位置に拘わらず、素早く容易に着用させることができる。
【００３０】
これにより、従来の集中治療室内で患者の体に上から着衣を被せただけに対する患者、家族、介護スタッフからの抵抗感を解消し、また、冬場など患者が寒さを感じる心配も解消することができる。
【００３１】
また、襟袖合わせ部１１０，１１１に形成する開口部１１５の幅寸法・位置、脇合わせ部１１９，１２０に形成する開口部１２３の幅寸法・位置を自由に調整できるので、ドレーン類やカテーテルだけでなく、術後に点滴用等の管を患者の身体に装着する場合にも容易に対応でき、管が患者の身体にまとわりつくような事態を避けることができる。
【００３２】
さらに、襟袖合わせ部１１０，１１１および脇合わせ部１１９，１２０の裏面に取り付けた保護片１１６，１２４により、図３（Ａ）（Ｂ）に示すように、第１ダブルファスナー部１１３，１１４，第２ダブルファスナ−部１２１，１２２における金属・プラスチック部分が、患者の肌に直接触れることがないから、患者は不快感を感じることなく、本医療用着衣１００を快適に着用することができる。また、袖口１０９Ｌ，１０９Ｒが絞られることにより、袖口１０９Ｌ，１０９Ｒが上にずれて左右の腕が露出することも防止できる。
【００３３】
本実施形態では、左右の襟袖合わせ部１１０，１１１が前肩部付近を通るように配置した。左右の襟袖合わせ部１１０，１１１は縫い身頃に合わせて脇下付近を通るように配置することも可能だが、前肩部付近を通るように配置することで、ベッドBに仰向け姿勢の患者に対し、第１ダブルファスナー部１１３，１１４が患者の身体１（腕部分）とベッドBの間に位置し、患者の身体１（腕部分）を圧迫し、同圧迫による皮膚トラブル（床擦れ等）を起す事態を防ぐことができる。
【００３４】
本実施形態では、襟袖合わせ部および脇合わせ部にダブルファスナー部を取り付けたが、これに限らずスライダーが１本のみのシングルファスナー部であってもよい。この場合、襟袖合わせ部および脇合わせ部の各付近に管挿通用の１又は複数のスリットを設けることが望ましい。
【００３５】
かくして、本発明の医療用着衣を患者が着用することにより、従来の手術後に患者や介護スタッフが感じていた抵抗感、患者が感じていた肌寒さの心配をことごとく解消し、これにより、治療・介護スタッフは気持ち良く治療・介護を行なえ、患者は快適に治療・介護を受けられることが期待できる。
【００３６】
本発明の医療用着衣は、用途は手術後に着用する着衣に限らない。入院用、治療用、介護用など、医療・介護向けに幅広く利用することが可能である。
【産業上の利用可能性】
【００３７】
本発明は、病院、診療所、介護施設、家庭等で着用可能な医療用、介護用の着衣として利用可能である。
【符号の説明】
【００３８】
１  身体
１００  医療用着衣
１０１  前身頃
１０２  後身頃
１０３  肩部
１０４，１０５  袖部
１０６Ａ，１０６Ｂ，１０７Ａ，１０７Ｂ  紐
１０８Ｌ，１０８Ｒ  襟部
１０９Ｌ，１０９Ｒ  袖口
１１０，１１１  襟袖合わせ部
１１２Ａ，１１２Ｂ  スライダー
１１３，１１４  第１ダブルファスナ−部（ダブルファスナー部）
１１５  開口部
１１６，１２４  保護片
１１７  脇
１１８  裾口
１１９，１２０  脇合わせ部
１２１，１２２  第２ダブルファスナー部（ダブルファスナー部）
１２３  開口部
１２５  袖口部
１２６  絞り
１２７  ボタン
B  ベッド
P  脇下位置
【図１】
2015052185.tif 000003
【図２】
2015052185.tif 000004
【図３】
2015052185.tif 000005
【図４】
2015052185.tif 000006